(57)【特許請求の範囲】
【請求項１】
画像を撮影し、この撮影された画像を時刻とともに記録するドライブレコーダ装置であって、
前記記録される時刻を計時する計時手段と、
前記計時手段によって計時される時刻が異常値であるか否かを判別する異常判別手段と、
標準時刻を取得する取得手段と、
前記撮影された画像の記録を指示する記録指示手段と、
前記撮影された画像の記録中であるか否かを判別する判別手段と、
前記画像の記録中でない場合、前記取得手段によって取得された標準時刻をもとに、前記計時手段によって計時される時刻を修正する修正手段と、を備え、
前記修正手段は、前記計時手段によって計時される時刻が異常値であると前記異常判別手段が判別しているときでも、前記記録指示手段が前記撮影された画像の記録を指示したときは、前記撮影された画像とともに記録される前記計時手段の計時する時刻を修正することなく、前記時刻が異常値であることを記録する
ことを特徴とするドライブレコーダ装置。
【請求項２】
動作指示手段によって前記ドライブレコーダ装置が動作を開始し、前記取得手段によって標準時刻が取得されている場合、前記修正手段は、前記計時手段によって計時される時刻を修正し、前記時刻が修正された後、前記画像の撮影を開始する
ことを特徴とする請求項１記載のドライブレコーダ装置。
【請求項３】
前記画像および前記時刻を記録可能な外部記録媒体が接続自在であり、
前記外部記録媒体が接続されている場合、前記修正手段は、前記計時手段によって計時される時刻を修正し、前記時刻が修正されたことを前記外部記録媒体に記録し、
前記外部記録媒体が接続されていない場合、前記修正手段は、前記計時手段によって計時される時刻を修正し、前記時刻が修正されたことを内部記録媒体に記録する
ことを特徴とする請求項１記載のドライブレコーダ装置。
【請求項４】
前記撮影した画像の記録後、前記取得手段によって標準時刻が取得されている場合、前記修正手段は、前記計時手段によって計時される時刻を修正する
ことを特徴とする請求項１記載のドライブレコーダ装置。
【発明の詳細な説明】
【技術分野】
【０００１】
本発明は、画像を撮影し、この撮影された画像を時刻とともに記録するドライブレコーダ装置及び時刻修正方法に関する。
【背景技術】
【０００２】
従来、ドライブレコーダは、ＧＰＳ（Global Positioning System）から時刻情報を取得し、この取得した時刻情報をもとに、内蔵する時刻ＩＣで計時される時刻を修正していた。
【０００３】
特許文献１には、ＧＰＳからの時刻情報に基づいて画像記録中に時刻を補正するドライブレコーダが示されている。
【先行技術文献】
【特許文献】
【０００４】
【特許文献１】特開２００１−１９９３７０号公報
【発明の概要】
【発明が解決しようとする課題】
【０００５】
しかしながら、上記従来のドライブレコーダ装置では、画像記録中も、ＧＰＳから時刻情報を受信している間、時刻の補正が行われていたので、画像記録中に時刻補正が行われた場合、記録データの記録時刻に矛盾が生じる。例えば、画像データの記録順に対して時刻が前後する、あるいは撮影時刻の間隔が変化するといったことが起こり得る。この結果、記録データの信頼性が大きく低下してしまうおそれがあった。
【０００６】
本発明は、上述した事情に鑑みてなされたものであり、その目的は、記録時刻に矛盾が生じることなく、信頼性の高い記録を行うことができるドライブレコーダ装置を提供することにある。
【課題を解決するための手段】
【０００７】
前述した目的を達成するために、本発明に係るドライブレコーダ装置は、下記（１）〜
（１０）を特徴としている。
（１）  画像を撮影し、この撮影された画像を時刻とともに記録するドライブレコーダ装置であって、
前記記録される時刻を計時する計時手段と、
前記計時手段によって計時される時刻が異常値であるか否かを判別する異常判別手段と、
標準時刻を取得する取得手段と、
前記撮影された画像の記録を指示する記録指示手段と、
前記撮影された画像の記録中であるか否かを判別する判別手段と、
前記画像の記録中でない場合、前記取得手段によって取得された標準時刻をもとに、前記計時手段によって計時される時刻を修正する修正手段と、を備え、
前記修正手段は、前記計時手段によって計時される時刻が異常値であると前記異常判別手段が判別しているときでも、前記記録指示手段が前記撮影された画像の記録を指示したときは、前記撮影された画像とともに記録される前記計時手段の計時する時刻を修正することなく、前記時刻が異常値であることを記録すること。
（２）  上記（１）の構成のドライブレコーダ装置であって、
動作指示手段によって前記ドライブレコーダ装置が動作を開始し、前記取得手段によって標準時刻が取得されている場合、前記修正手段は、前記計時手段によって計時される時刻を修正し、前記時刻が修正された後、前記画像の撮影を開始すること。
（３）  上記（２）の構成のドライブレコーダ装置であって、
前記撮影の開始後、前記異常判別手段によって時刻が異常値であると判別され、かつ、前記取得手段によって標準時刻が取得されている場合、前記修正手段は、前記撮影した画像を記録する前に前記計時手段によって計時される時刻を修正すること。
（４）  上記（３）の構成のドライブレコーダ装置であって、
前記記録指示手段によって画像の記録が指示された場合、前記修正手段は、前記計時手段によって計時される時刻を修正することなく、前記時刻が異常値であることを記録し、
前記記録指示手段によって前記画像の記録が指示されない場合、前記修正手段は、前記計時手段によって計時される時刻を修正し、前記時刻が修正されたことを記録すること。
（５）  上記（２）の構成のドライブレコーダ装置であって、
前記撮影の開始後、前記動作指示手段によって前記ドライブレコーダ装置が動作を開始してから一定時間が経過し、かつ、前記取得手段によって標準時刻が取得されている場合、前記修正手段は、前記計時手段によって計時される時刻を修正し、前記時刻が修正されたことを記録すること。
（６）  上記（２）の構成のドライブレコーダ装置であって、
前記画像の記録中でなく、かつ、前記取得手段によって標準時刻が取得されていない場合、前記修正手段は、その後、前記取得手段によって標準時刻が取得された場合、前記計時手段によって計時される時刻を修正し、前記時刻が修正されたことを記録すること。
（７）  上記（１）の構成のドライブレコーダ装置であって、
前記画像および前記時刻を記録可能な外部記録媒体が接続自在であり、
前記外部記録媒体が接続されている場合、前記修正手段は、前記計時手段によって計時される時刻を修正し、前記時刻が修正されたことを前記外部記録媒体に記録し、
前記外部記録媒体が接続されていない場合、前記修正手段は、前記計時手段によって計時される時刻を修正し、前記時刻が修正されたことを内部記録媒体に記録すること。
（８）  上記（１）の構成のドライブレコーダ装置であって、
前記撮影した画像の記録後、前記取得手段によって標準時刻が取得されている場合、前記修正手段は、前記計時手段によって計時される時刻を修正すること。
（９）  上記（２）の構成のドライブレコーダ装置であって、
前記動作指示手段によって前記ドライブレコーダ装置が動作を終了してから一定の遅延時間が経過しており、かつ、前記取得手段によって標準時刻が取得されている場合、前記修正手段は、前記計時手段によって計時される時刻を修正すること。
（１０）  上記（９）の構成のドライブレコーダ装置であって、
前記動作指示手段によって前記ドライブレコーダ装置が動作を終了してから一定の遅延時間が経過する前に、前記動作指示手段によって前記ドライブレコーダ装置が動作を再開した場合、前記修正手段は、前記計時手段によって計時される時刻を修正しないこと。
【０００８】
上記（１）の構成のドライブレコーダ装置によれば、これにより、画像の記録中でない場合、標準時刻をもとに、計時される時刻が修正されるので、記録時刻に矛盾が生じることなく、信頼性の高い記録を行うことができる。また、記録の必要な画像とともに記録する時刻が異常値であっても、異常値であることの記録を残しておくことで、記録データの解析時に時刻の修正が可能となる。
上記（２）の構成のドライブレコーダ装置によれば、撮影開始前に時刻修正を行うことができる。
上記（３）の構成のドライブレコーダ装置によれば、撮影した画像の記録に先立って異常値となっている時刻を修正することができる。
上記（４）の構成のドライブレコーダ装置によれば、画像が記録されない期間を利用して異常値である時刻の修正が可能となる。また、異常値であることの記録を残しておくことで、記録データの解析時に時刻の修正が可能となる。
上記（５）の構成のドライブレコーダ装置によれば、撮影が開始されてから長期間に亘って時刻が修正されない状態を回避することができる。また、後から時刻が修正されたことを確認することができる。
上記（６）の構成のドライブレコーダ装置によれば、標準時刻が取得されると、速やかに時刻の修正に移行することができる。また、後から時刻が修正されたことを確認することができる。
上記（７）の構成のドライブレコーダ装置によれば、記録媒体が接続されていない場合でも、避難的に内部記録媒体に時刻が修正されたことを記録することができる。
上記（８）の構成のドライブレコーダ装置によれば、撮影した画像の記録後、速やかに時刻を修正することができる。
上記（９）の構成のドライブレコーダ装置によれば、遅延時間が経過し、画像が記録されなくなってから、時刻を修正することができる。
上記（１０）の構成のドライブレコーダ装置によれば、必要としない時刻修正を省くことができる。
【発明の効果】
【００１１】
本発明によれば、画像の記録中でない場合、標準時刻をもとに、計時される時刻が修正されるので、記録時刻に矛盾が生じることなく、信頼性の高い記録を行うことができる。
【図面の簡単な説明】
【００１２】
【図１】実施形態におけるドライブレコーダ１の構成を示す図である。
【図２】レコーダ本体５およびＧＰＳ受信器２９の外観を示す図である。
【図３】時刻修正動作手順を示すフローチャートである。
【図４】図３につづく時刻修正動作手順を示すフローチャートである。
【図５】動作終了手順を示すフローチャートである。
【図６】時刻修正の時期を示すタイミングチャートである。
【発明を実施するための形態】
【００１３】
本発明の実施形態におけるドライブレコーダ装置及び時刻修正方法について図面を参照しながら説明する。本実施形態のドライブレコーダ装置は、車両のフロントガラス上部に設置され、車両前方（進行方向）の画像を撮影するドライブレコーダに適用される。
【００１４】
図１は実施形態におけるドライブレコーダ１の構成を示す図である。ドライブレコーダ１は、レコーダ本体５（図２参照）に、ＣＰＵ１０、内部記録媒体１１、通信Ｉ／Ｆ１２、時刻ＩＣ１３、メモリＩ／Ｆ１４、カメラＩ／Ｆ１５、センサＩ／Ｆ１６、速度Ｉ／Ｆ１７、受信Ｉ／Ｆ１８および入出力（Ｉ／Ｏ）Ｉ／Ｆ１９を内蔵する。
【００１５】
ＣＰＵ１０はドライブレコーダ１全体を制御する。内部記録媒体１１は、制御プログラムや各種データを格納する読取専用の記録媒体（ＲＯＭ）、および撮影画像、時刻情報、ログなどを一時的に記憶するＲＡＭやハードディスク等の書き換え可能な記録媒体からなる。通信Ｉ／Ｆ１２は、外部のデータ処理装置と有線もしくは無線でデータ通信を行うＵＳＢやＢｌｕｅｔｏｏｔｈ等の通信モジュールである。時刻ＩＣ（時計ＩＣ）１３は現在時刻を計時し、ＣＰＵ１０に時刻データを出力する。ＣＰＵ１０は、内蔵タイマ１０ａを有し、時刻ＩＣから出力される時刻データをもとに内蔵タイマ１０ａの時刻を修正する。
【００１６】
メモリＩ／Ｆ１４には、撮影した画像および時刻を記録可能なメモリカード等の外部記録媒体（単に、記録媒体ともいう）２１が接続自在である。カメラＩ／Ｆ１５には、車両前方（進行方向）の画像を撮影するカメラ２３が接続される。センサＩ／Ｆ１６には、加速度を検知し、急ブレーキ等の衝撃を感知する加速度センサ（Ｇセンサ）２５が接続される。速度Ｉ／Ｆ１７には、後輪（駆動輪）のトランスミッション回転数に応じた数のパルス信号を発生するロータリーエンコーダからなり、車両の速度を検知する速度センサ２７が接続される。
【００１７】
また、受信Ｉ／Ｆ１８には、車両の現在位置の座標（緯度、経度）を表す現在位置情報および標準時刻を表す時刻情報を受信するＧＰＳ受信器２９が接続される。入出力（Ｉ／Ｏ）Ｉ／Ｆ１９には、車両情報を検知するイグニッション（ＩＧ）スイッチ３１、ウインカスイッチ３２等の他、操作ボタン３５が接続される。
【００１８】
図２はレコーダ本体５およびＧＰＳ受信器２９の外観を示す図である。レコーダ本体５の前面には、電源ボタン３５ａを含む各種の操作ボタン３５や、メモリカード等の外部記録媒体２１が挿入されて接続されるメモリＩ／Ｆ１４等が設けられている。レコーダ本体５には、現在位置情報および時刻情報を受信するＧＰＳ受信器２９が有線で接続されている。
【００１９】
上記構成を有するドライブレコーダ１の時刻修正動作を示す。図３および図４は時刻修正動作手順を示すフローチャートである。この制御プログラムは、前述したように、内部記録媒体１１に格納されており、電源ボタン３５ａが押下されると、ＣＰＵ１０によって実行される。
【００２０】
まず、ドライブレコーダ１は、ＩＧスイッチ３１（動作指示手段）がオンになるまで待ち（ステップＳ１）、ＩＧスイッチ３１がオンになると、ＧＰＳ受信器２９が時刻情報（ＧＰＳ時刻情報）を受信したか否かを判別する（ステップＳ２）。
【００２１】
時刻情報を受信した場合、ドライブレコーダ１は、メモリＩ／Ｆ１４に外部記録媒体２１が挿入され、接続されているか否かを判別する（ステップＳ３）。外部記録媒体２１が接続されている場合、ドライブレコーダ１は、ＧＰＳ時刻情報をもとに時刻ＩＣ１３の時刻を修正する（ステップＳ４）。さらに、ドライブレコーダ１は、この時刻が修正されたことを表す時刻修正ログを作成し、外部記録媒体２１に記録する（ステップＳ５）。このように、時刻が修正されたことを表す時刻修正ログを残すことで、後から時刻の修正があったことを確認することができる。この後、ドライブレコーダ１は、カメラ２３を起動させ、撮影を開始する（ステップＳ６）。
【００２２】
一方、ステップＳ２でＧＰＳ受信器２９から時刻情報を受信していない場合、ドライブレコーダ１は、時刻ＩＣ１３の時刻を修正することなく、そのままステップＳ６に移行し、撮影を開始する。
【００２３】
また一方、ステップＳ３で外部記録媒体２１が挿入されていない場合、ドライブレコーダ１は、ＧＰＳ時刻情報をもとに時刻ＩＣ１３およびＣＰＵ内蔵タイマ１０ａの時刻を修正する（ステップＳ７）。さらに、ドライブレコーダ１は、この時刻修正ログを作成し、内部記録媒体１１に記録する（ステップＳ８）。そして、ドライブレコーダ１は、入出力（Ｉ／Ｏ）Ｉ／Ｆ１９に接続されるスピーカや表示器（図示せず）を介して外部記録媒体２１が未挿入であることを警告した後（ステップＳ９）、ステップＳ６でカメラ２３を起動させ、撮影を開始する。
【００２４】
カメラ２３の撮影が開始すると（撮影開始後）、ドライブレコーダ１は、時刻ＩＣ１３およびＣＰＵ１０の内蔵タイマ１０ａが計時する時刻は異常値であるか否かを判別する（ステップＳ１０）。ここで、異常値とは、時刻ＩＣ（ＲＴＣ）が対応している日時以外のとき日時、例えば、対応日時が２０１０年〜２０２８年である場合に２０１０以前あるいは２０２８以降の日時である。なお、ステップＳ１０の処理は異常判別手段に相当する。
【００２５】
時刻が異常値である場合、ドライブレコーダ１は、記録トリガの有無を確認する（ステップＳ１１）。ここで、記録トリガ（記録指示手段）とは、加速度（Ｇ値）が例えば急ブレーキ等により記録を必要とする規定値を超え、記録の開始を指示する信号の発生である。
【００２６】
ドライブレコーダ１は、記録トリガがある場合、撮影した画像を外部記録媒体２１もしくは内部記録媒体１１に記録する（ステップＳ１２）。さらに、ドライブレコーダ１は、ＧＰＳ受信器２９から得られる危険位置情報、および内蔵タイマ１０ａまたは時刻ＩＣ１３から得られる時刻とともに、ウインカスイッチ３２等の車両情報を外部記録媒体２１または内部記録媒体１１に記録する（ステップＳ１３）。
【００２７】
ドライブレコーダ１は、時刻ＩＣ１３および内蔵タイマ１０ａが異常値である場合、時刻が異常値であることを表す時刻異常ログを作成し、外部記録媒体２１もしくは内部記録媒体１１に記録する（ステップＳ１４）。この時刻異常ログを残しておくことで、記録データの解析時に時刻の修正が可能となる。なお、ステップＳ１４の処理は、時刻ＩＣ１３および内蔵タイマ１０ａが異常値でない場合、そのままスキップされる。
【００２８】
ドライブレコーダ１は、ＧＰＳ受信器２９からＧＰＳ時刻情報（標準時刻）を受信したか否かを判別する（ステップＳ１５）。ＧＰＳ受信器２９から時刻情報を受信した場合、ドライブレコーダ１は、画像データ等の記録終了後（記録後）、ＧＰＳ時刻情報をもとに時刻ＩＣ１３の時刻を修正する（ステップＳ１６）。そして、ドライブレコーダ１は、外部記録媒体２１の挿入を確認した後、ステップＳ９で警告を出していた場合、未挿入の警告を停止し（ステップＳ２８）、ステップＳ１０の処理に戻る。
【００２９】
一方、ステップＳ１５でＧＰＳ受信器２９から時刻情報を受信しなかった場合、ドライブレコーダ１は、時刻を修正する必要があるとして時刻修正フラグを作成して有効にし、外部記録媒体２１もしくは内部記録媒体１１に記録する（ステップＳ１７）。この後、ドライブレコーダ１はステップＳ２８の処理に進む。
【００３０】
また一方、ステップＳ１１で記録トリガがなかった場合、ドライブレコーダ１は、ＧＰＳ受信器２９から時刻情報を受信したか否かを判別する（ステップＳ１８）。ＧＰＳ受信器２９からＧＰＳ時刻情報を受信した場合、ドライブレコーダ１は、ＧＰＳ時刻情報をもとに時刻ＩＣ１３およびＣＰＵ内蔵タイマ１０ａの時刻を修正する（ステップＳ１９）。さらに、ドライブレコーダ１は、この時刻修正ログを作成し、内部記録媒体１１に記録する（ステップＳ２０）。さらに、ドライブレコーダ１は、時刻修正フラグを削除して無効にし（ステップＳ２１）、この後、ステップＳ２８の処理に進む。
【００３１】
一方、ステップＳ１８でＧＰＳ受信器２９からＧＰＳ時刻情報を受信しなかった場合、ドライブレコーダ１は、時刻修正フラグを作成して有効にし、外部記録媒体２１もしくは内部記録媒体１１に記録する（ステップＳ２２）。この後、ドライブレコーダ１はステップＳ２８の処理に進む。このように、ステップＳ１８でＧＰＳ時刻情報が受信されると、速やかに時刻の修正に移行することができる。
【００３２】
一方、ステップＳ１０で時刻ＩＣ１３およびＣＰＵ内蔵タイマ１０ａが計時する時刻が異常値でないと判別された場合、ドライブレコーダ１は、時刻修正フラグが有効になっているか否かを判別する（ステップＳ２３）。時刻修正フラグが有効になっている場合、ドライブレコーダ１は、ステップＳ１１の処理に進む。一方、時刻修正フラグが無効になっている場合、ドライブレコーダ１は、イグニッション（ＩＧ）スイッチ３１がオンになってから一定時間が経過したか否かを判別する（ステップＳ２４）。この一定時間は、撮影が開始されてから定期的に時刻を修正する必要があると判断される時間であり、任意に設定可能である。これにより、撮影が開始されてから長期間に亘って時刻が修正されない状態を回避することができる。この一定時間が経過している場合、ドライブレコーダ１はステップＳ１１の処理に進む。
【００３３】
一方、一定時間が経過していない場合、ドライブレコーダ１は、記録トリガの有無を判別する（ステップＳ２５）。記録トリガがある場合、ドライブレコーダ１は、撮影した画像を外部記録媒体２１もしくは内部記録媒体１１に記録する（ステップＳ２６）。さらに、ドライブレコーダ１は、ＧＰＳ受信器２９から得られる危険位置情報、および内蔵タイマ１０ａまたは時刻ＩＣ１３から得られる時刻とともに、ウインカスイッチ３２等の車両情報を外部記録媒体２１または内部記録媒体１１に記録する（ステップＳ２７）。そして、ドライブレコーダ１は、ステップＳ２８の処理に進む。
【００３４】
一方、ステップＳ２５で記録トリガがない場合、ドライブレコーダ１はそのままステップＳ２８の処理に進む。
【００３５】
図５は動作終了手順を示すフローチャートである。この制御プログラムは、前述したように、内部記録媒体１１に格納されており、イグニッション（ＩＧ）スイッチ３１がオンである場合に周期的にＣＰＵ１０によって実行されるタイマ割り込み処理である。
【００３６】
まず、ドライブレコーダ１は、イグニッション（ＩＧ）スイッチ３１がオンからオフに切り替わったか否かを判別する（ステップＳ４１）。ＩＧスイッチ３１がオンのままである場合、ドライブレコーダ１は本処理を終了する。
【００３７】
一方、ステップＳ４１でＩＧスイッチ３１がオフである場合、ドライブレコーダ１は、ディレイ機能により、図３、図４で行われる動作を一定の遅延時間（ディレイ期間）維持する（ステップＳ４２）。ディレイ機能は、ＩＧスイッチのオフ後、一定の遅延時間撮影動作を維持してから終了する機能である。この機能はＩＧスイッチのオフ後の防犯等に役立つ。遅延時間は、ＩＧスイッチのオフした後でも撮影を継続した方が良いと判断される時間であり、任意に設定可能である。
【００３８】
ドライブレコーダ１は、遅延時間中、ＩＧスイッチ３１がオンになったか否かを判別する（ステップＳ４３）。ＩＧスイッチ３１がオフである場合、ドライブレコーダ１は、遅延時間が経過したか否かを判別する（ステップＳ４４）。遅延時間が経過していない場合、ドライブレコーダ１はステップＳ４３の処理に戻る。
【００３９】
一方、遅延時間が経過した場合、ドライブレコーダ１は、ＧＰＳ受信器２９によりＧＰＳ時刻情報を受信したか否かを判別する（ステップＳ４５）。ＧＰＳ時刻情報を受信した場合、ドライブレコーダ１は、ＧＰＳ時刻情報をもとに時刻ＩＣ１３およびＣＰＵ内蔵タイマ１０ａの時刻を修正する（ステップＳ４６）。そして、ドライブレコーダ１は、図３、図４に示す動作を終了し（ステップＳ４８）、本処理を終了する。
【００４０】
一方、ステップＳ４５でＧＰＳ時刻情報を受信していない場合、ドライブレコーダ１は、時刻修正フラグを作成し、外部記録媒体２１もしくは内部記録媒体１１に記録する（ステップＳ４２）。そして、ドライブレコーダ１は、ステップＳ４８で図３、図４に示す動作を終了し、本処理を終了する。
【００４１】
また一方、ステップＳ４３で遅延時間が経過する前にＩＧスイッチ３１がオンになって動作を再開させる場合、ドライブレコーダ１は、図３、図４に示す動作を終了することなく継続させ（ステップＳ４９）、本処理を終了する。
【００４２】
図６は時刻修正の時期を示すタイミングチャートである。電源が投入された後、ステップＳ１でＩＧスイッチがオンになると（図中、符号ａ）、ステップＳ４もしくはＳ７において時刻の修正が行われる。その後、ＩＧスイッチがオフになり（図中、符号ｂ）、ディレイ期間（遅延時間）中、撮影動作が維持される。このディレイ期間中、ＩＧスイッチがオンになっても（図中、符号ｃ）、ステップＳ４４でＮＯ→ステップＳ４３でＹＥＳ→ステップＳ４９の処理が行われるので、この時点では時刻の修正は行われない。一方、符号ｃに示すＩＧスイッチのオンの代わりに、ディレイ期間（遅延時間）経過後、ＩＧスイッチがオンになると（図中、符号ｄ）、既に撮影記録動作が終了した後にＩＧスイッチがオンになるのを待つステップＳ１の動作と同じ状態になる。したがって、符号ｄに示すＩＧスイッチのオン時点で時刻の修正が行われる。
【００４３】
このように、本実施形態のドライブレコーダ装置によれば、撮影した画像の記録中に時刻修正が行われないので、記録時刻に矛盾が生じることなく、信頼性の高い記録を行うことができる。また、時刻修正を行った場合、時刻修正ログを外部記録媒体もしくは内部記録媒体に記録しておくので、後から時刻の確認が容易となる。
【００４４】
なお、本発明は、上記実施形態の構成に限られるものではなく、特許請求の範囲で示した機能、または本実施形態の構成が持つ機能が達成できる構成であればどのようなものであっても適用可能である。
【００４５】
例えば、上記実施形態では、撮影記録動作を開始させるトリガは、ＩＧスイッチのＯＮであったが、これに限らず、車両が作動したことを示すバッテリ電圧の変化であってもよいし、レコーダ本体に設けられた開始ボタンのＯＮであってもよい。
【００４６】
また、上記実施形態では、記録トリガが発生した場合に記録動作が行われる記録トリガタイプのドライブレコーダを示したが、常時記録タイプのドライブレコーダであっても、ＩＧスイッチのオン直後に時刻修正を行うことは可能である。このように、本発明はいずれのタイプのドライブレコーダに対しても適用可能である。
【００４７】
また、上記実施形態では、標準時刻をＧＰＳ器で受信することにより取得したが、これに限らず、電波時計やインターネット経由で取得するようにしてもよい。標準時刻を計時するものとしては、原子時計が一般的に利用されるが、その他の時計が用いられてもよい。
【００４８】
また、本発明の時刻修正方法は、車両に搭載されたドライブレコーダ以外の装置、例えば、監視カメラなどにも適用可能である。
【００４９】
本発明は、画像を撮影し、この撮影された画像を時刻とともに記録するドライブレコーダ装置に適用することで、記録時刻に矛盾が生じることなく、信頼性の高い記録を行うことができ、有用である。
【符号の説明】
【００５０】
１  ドライブレコーダ
５  レコーダ本体
１０  ＣＰＵ
１０ａ  内蔵タイマ
１１  内部記録媒体
１２  通信Ｉ／Ｆ
１３  時刻ＩＣ
１４  メモリＩ／Ｆ
１５  カメラＩ／Ｆ
１６  センサＩ／Ｆ
１７  速度Ｉ／Ｆ
１８  受信Ｉ／Ｆ
１９  入出力（Ｉ／Ｏ）Ｉ／Ｆ
２１  外部記録媒体
２３  カメラ
２５  加速度センサ（Ｇセンサ）
２７  速度センサ（車速センサ）
２９  ＧＰＳ受信器
３１  イグニッション（ＩＧ）スイッチ
３２  ウインカスイッチ
３５  操作ボタン
３５ａ  電源ボタン
【図１】
0005781795.tif 000002
【図２】
0005781795.tif 000003
【図３】
0005781795.tif 000004
【図４】
0005781795.tif 000005
【図５】
0005781795.tif 000006
【図６】
0005781795.tif 000007